(57)【要約】【課題】ハンドレールを案内するハンドレールガイドに溝部が形成されているかどうかに関係なく、ハンドレールの外表面の温度を調整することができる乗客コンベアの提供。【解決手段】本発明に係る乗客コンベアは、例えばエスカレータから成り、ステップ２と、このステップ２と同期して移動し、欄干３に設けたハンドレールガイド３ａによって案内されるハンドレール５と、このハンドレール５の温度を調整するハンドレール温度調整装置とを備え、このハンドレール温度調整装置は、ハンドレール５の外表面５ａに向って風を吹き付ける送風装置から成っている。この送風装置は、ハンドレール５の外表面５ａを囲むようにハンドレール５に沿って延設され、風が導かれる貫通穴６ａを有するハンドレールカバー６を含み、ハンドレール５とハンドレールカバー６との間に、ハンドレール５を掴む乗客の手の挿入を許容させる開口部１０を設けてある。【選択図】図２
2015189570.tif 000002
【特許請求の範囲】
【請求項１】
ステップと、このステップと同期して移動し、欄干に設けたハンドレールガイドによって案内されるハンドレールと、このハンドレールの温度を調整するハンドレール温度調整装置とを備えた乗客コンベアにおいて、
前記ハンドレール温度調整装置は、前記ハンドレールの外表面に向って風を吹き付ける送風装置から成ることを特徴とする乗客コンベア。
【請求項２】
請求項１に記載の乗客コンベアにおいて、
前記送風装置は、前記ハンドレールの外表面を囲むように前記ハンドレールに沿って延設され、風が導かれる貫通穴を有するハンドレールカバーを含み、
前記ハンドレールと前記ハンドレールカバーとの間に、前記ハンドレールを掴む人の手の挿入を許容させる開口部を設けたことを特徴とする乗客コンベア。
【請求項３】
請求項２に記載の乗客コンベアにおいて、
前記送風装置は、前記ハンドレールカバーに取り付けられ、風を生起させるファンを有する送風部と、この送風部の前記ファンを駆動制御する制御装置とを含み、
前記送風部を前記ハンドレールカバーの延設方向に沿って、このハンドレールカバに複数設けたことを特徴とする乗客コンベア。
【請求項４】
請求項３に記載の乗客コンベアにおいて、
前記ハンドレールカバーを前記ハンドレールガイドに取り付ける取り付け部を備えたことを特徴とする乗客コンベア。
【請求項５】
請求項２〜４のいずれか１項に記載の乗客コンベアにおいて、
前記ハンドレールカバーは、略半円断面形状の可撓性を有するものから成り、上端部を曲面形状に形成したことを特徴とする乗客コンベア。
【発明の詳細な説明】
【技術分野】
【０００１】
本発明は、ハンドレールの温度を調整するハンドレール温度調整装置を備えたエスカレータ等の乗客コンベアに関する。
【背景技術】
【０００２】
この種の従来技術として、特許文献１に示されるものがある。この従来技術は、踏段すなわちステップと、この踏段と同期して移動し、欄干に設けた案内レールすなわちハンドレールガイドによって案内される移動手摺、すなわちハンドレールと、この移動手摺の温度を調整する手摺温度調整装置、すなわちハンドレール温度調整装置とを備えている。
【０００３】
手摺温度調整装置は、移動手摺を案内する案内レールに形成され、この案内レールの延設方向に沿って延設する溝部と、この溝部に連通するように案内レールに形成された通風穴とを有している。通風穴から温風あるいは冷風を案内レールに形成した溝部に供給することにより、移動手摺の裏面に温風あるいは冷風が吹き付けられ、これに応じて移動手摺の外表面が次第に温められ、あるいは冷やされるようになっている。
【先行技術文献】
【特許文献】
【０００４】
【特許文献１】特開２００６−３４７６６９号公報
【発明の概要】
【発明が解決しようとする課題】
【０００５】
前述した従来技術は、移動手摺の裏面に温風あるいは冷風を吹き付けるようにしたことから、乗客の手によって掴まれる移動手摺の外表面が所望温度となるまでに時間がかかり、その時間に相当するエネルギロスを生じる問題がある。
【０００６】
また、前述した従来技術は、案内レールに溝部が形成された乗客コンベアにのみ適用可能であり、案内レールに溝部が形成されていない乗客コンベアには適用することができない。案内レールに溝部が形成されていない乗客コンベアに適用しようとするときには、設置作業に際し、案内レールの延設方向に沿って案内レールに溝部を形成加工する煩雑な作業も必要になる。
【０００７】
また、前述した従来技術は、温められた、あるいは冷やされた移動手摺を乗客の手が掴んだ際に、主に移動手摺に接触している手のひら部分において温暖感あるいは冷感を感じる程度であり、乗客に与える快適感が必ずしも十分とは言えない。
【０００８】
本発明は、前述した従来技術における実情からなされたもので、その目的は、ハンドレールを案内するハンドレールガイドに溝部が形成されているかどうかに関係なく、ハンドレールの外表面の温度を調整することができる乗客コンベアを提供することにある。
【課題を解決するための手段】
【０００９】
前記目的を達成するために、本発明に係る乗客コンベアは、ステップと、このステップと同期して移動し、欄干に設けたハンドレールガイドによって案内されるハンドレールと、このハンドレールの温度を調整するハンドレール温度調整装置とを備えた乗客コンベアにおいて、前記ハンドレール温度調整装置は、前記ハンドレールの外表面に向って風を吹き付ける送風装置から成ることを特徴としている。
【発明の効果】
【００１０】
本発明に係る乗客コンベアは、送風装置を駆動させてハンドレールの外表面に向って直接に風を吹き付けることによって、ハンドレールの外表面の温度を調整することができる。これにより本発明は、ハンドレールの外表面を従来よりも短時間で所望温度にすることができ、従来に比べてエネルギロスを少なくすることができる。また本発明は、ハンドレールを案内するハンドレールガイドに溝部が形成されているかどうかに関係なく適用でき、従来に比べて優れた汎用性を確保することができる。また本発明は、ハンドレールの外表面に対して風が吹き付けられるとともに、ハンドレールを掴もうとする乗客の手の略全体に風が吹き付けられるので、ハンドレールを手で掴む際の乗客に与える快適感を従来に比べて向上させることができる。
【図面の簡単な説明】
【００１１】
【図１】本発明に係る乗客コンベアの一実施形態を構成するエスカレータを示す側面図である。
【図２】本実施形態に備えられるハンドレール温度調整装置の要部を示す斜視図である。
【図３】図２に示すハンドレール温度調整装置の要部を示す側断面図である。
【図４】図２に示すハンドレール温度調整装置の使用時の状況を示す側断面図である。
【発明を実施するための形態】
【００１２】
以下、本発明に係る乗客コンベアの実施の形態を図面に基づいて説明する。
【００１３】
本発明に係る乗客コンベアの一実施形態は、例えばエスカレータから成り、このエスカレータは図１に示すように、基体を構成する主枠１と、乗客を乗せて例えば矢印１５方向に上昇するステップ２と、主枠１に保持される欄干３とを備えている。欄干３の上部には、図２等に示すハンドレールガイド３ａを設けてある。また本実施形態は、ステップ２と同期して移動し、ハンドレールガイド３ａによって案内されるハンドレール５と、このハンドレール５の温度を調整するハンドレール温度調整装置を備えている。本実施形態に備えられハンドレール温度調整装置は、ハンドレール５の外表面５ａに向って風を吹き付ける送風装置から成っている。
【００１４】
この送風装置は、ハンドレール５の外表面５ａを囲むようにハンドレール５に沿って延設され、図３等に示すように風が導かれる貫通穴６ａを有するハンドレールカバー６を含み、同図３に示すように、ハンドレール５とハンドレールカバー６の上端部６ｂとの間に、図４に示すようにハンドレール５を掴む乗客の手の挿入を許容させる開口部１０を設けてある。すなわち、ハンドレール５を掴む乗客の手の挿入を考慮して、ハンドレール５ａの下端部５ｂからハンドレールカバー６の上端部６ｂまでの寸法Ｈを設定してある。
【００１５】
また、前述した送風装置は、図２，３等に示すように、ハンドレールカバー６に取り付けられ、風を生起させるファンを有する送風部８と、図１に示すように、送風部８のファンを駆動制御する制御装置９とを備えている。同図１に示すように、送風部８はハンドレールカバー６の延設方向に沿って例えば複数配置してある。
【００１６】
また、前述した送風装置は、図２，３等に示すように、ハンドレールカバー６をハンドレールガイド３ａに取り付ける取り付け部７を備えている。
【００１７】
前述したハンドレールカバー６は、例えば略半円断面形状の可撓性を有するものから成り、上端部６ｂを曲面形状に形成してある。
【００１８】
このように構成した本実施形態は、例えば当該エスカレータの起動に伴って制御装置９によって送風部８のファンを駆動させることにより、ファンで生起させた風がハンドレールカバー６の貫通穴６ａを通って矢印２０で示すように、ハンドレール５の外表面５ａに向って吹き付けられる。この際に、ハンドレール５の外表面５ａに吹き付けられた風はハンドレール５を囲むハンドレールカバー６によって外部への漏出を少なく抑えられる。これによって、短時間のうちにハンドレール５の外表面５ａを所望温度にすることができ、エネルギロスを少なくすることができる。
【００１９】
また本実施形態は、ハンドレール５を案内するハンドレールガイド３ａに溝部が形成されているどうかに関係なく適用でき、優れた汎用性を確保することができる。
【００２０】
また本実施形態は、図４に示すように、ハンドレール５とハンドレールカバー６との間の開口部１０から手を挿入することにより、容易にハンドレール５を手で掴むことができ、ハンドレール５を掴んだ乗客に所望の冷感等を与えることができる。
【００２１】
また本実施形態は、ハンドレール５の外表面５ａに対して風が吹き付けられるとともに、ハンドレール５を掴もうとする乗客の手の略全体に風が吹き付けられるので、ハンドレール５を手で掴む際の乗客に与える快適感を向上させることができる。
【００２２】
また本実施形態は、送風部８をハンドレールカバー６に取り付けるようにしたので、送風部８のファンによって生起させた風をハンドレールカバー６の貫通穴６ａに導くまでの風の通路を最小距離にすることができる。また、送風部８をハンドレールカバー６の延設方向に沿って複数配置したことから、比較的大きい風量の風をハンドレール５の外表面５ａに吹き付けることができ、より短時間のうちにハンドレール５の温度を所定温度に調整することができる。
【００２３】
また本実施形態は、取り付け部７を介してハンドレールカバー６を、剛体から成るハンドレールガイド３ａに安定して取り付けることができ、耐久性に優れている。
【００２４】
また、ハンドレール６を可撓性を有するように、またハンドレールカバー６の上端部６ｂを曲面形状に形成してあることから、ハンドレール５を掴もうとする乗客の手がハンドレールカバー６の上端部６ｂなどに接触したときには、手を傷付けることなく手による押し付け力に応じてハンドレールカバー６が撓むようになる。これにより乗客に対する安全性を確保することができる。
【００２５】
なお、送風部８から送風する風は、当該エスカレータが設置される環境の温度と同等の温度を有する風、すなわち通常温度の風でもよく、また、環境温度が高いときなどには通常温度よりも低い温度の冷風でもよく、また環境温度が低いときなどには通常温度よりも高い温度の温風でもよい。
【００２６】
また、制御装置９は、当該エスカレータに連動させて送風部８を駆動するように制御してもよく、また、当該エスカレータに連動させることなく送風部８を独立して駆動するように制御してもよい。
【００２７】
また例えば、当該エスカレータが設置される環境の温度を検出する温度検出装置を設け、この温度検出装置で検出された温度に応じて制御装置９が送風部８を駆動制御する構成にしてもよい。
【００２８】
また、前記実施形態では、送風部８を複数設けたが、単に１つの送風部８を設けた構成にしてもよい。
【００２９】
また、本実施形態はエスカレータから成っているが、本発明は、エスカレータには限られず、平坦路や坂路を形成する移動道路に適用してもよい。
【符号の説明】
【００３０】
１    主枠
２    ステップ
３    欄干
３ａ  ハンドレールガイド
５    ハンドレール
５ａ  外表面
５ｂ  下端部
６    ハンドレールカバー
６ａ  貫通穴
６ｂ  上端部
７    取り付け部
８    送風部
９    制御装置
１０    開口部
１５    矢印
２０    矢印
Ｈ    寸法    
【図１】
2015189570.tif 000003
【図２】
2015189570.tif 000004
【図３】
2015189570.tif 000005
【図４】
2015189570.tif 000006